(57)【特許請求の範囲】
【請求項１】
１枚の段ボールから、梱包物品を納め得る大きさで、その外周りに緩衝構造を一体に備えた、蓋無しの内箱状に折上げられるものであって、
前記段ボールは、方形の底面１の一方の対向辺の夫々に、外向きに拡開する台形の傾斜底面２と、側壁面３とを順次連設し、
他方の対向辺の夫々に側壁面４を連設し、隣接する傾斜底面２と側壁面４との両側端間に、台形の袖壁面５を跨設し、
隣接する側壁面３と袖壁面５との両側端間には、斜め折目に沿って２つ折りされるＬ形のヒレ片６を跨設し、
側壁面４の両側端に連なる１組のヒレ片６，６間に、側壁面４の外側に当接させる為の、Ｖ形乃至はＵ形に屈折される帯板状のスペーサー片９を架設した構成を備えており、
かつ、一方の前記側壁面４の上縁に、中底板１１を垂支用壁面１２を介して連設すると共に、
対向する１組の前記傾斜底面２，２の各上縁部間に、前記中底板１１を架設し、
この上に梱包物品を緩衝支持する様にしたことを特徴とする梱包箱用の内箱状パッキン材。
【請求項２】
前記側壁面３の上縁側に、この面の外側に向けて、下向きにＬ形に折曲される折曲片７を連設したことを特徴とする請求項１記載の梱包箱用の内箱状パッキン材。
【請求項３】
折曲片７の頂面７ａに、その両側端にＶ形乃至Ｕ形の切欠ｂ，ｂを設けると共に、
両切欠ｂ，ｂ間に座屈用折目８を設けたことを特徴とする請求項２記載の梱包箱用の内箱状パッキン材。
【請求項４】
前記中底板１１の先端縁には下向きに折曲される支承片１３を、
両側端縁には上向きに折曲される補強片１４を連設したことを特徴とする請求項１記載の梱包箱用の内箱状パッキン材。
【請求項５】
請求項１〜３のいずれかに記載の内箱状パッキン材に、その１組の前記傾斜底面２，２の各上縁部間に架設する為の、１枚の段ボールから折上げられる補助パッキン材を付属させた構成を備えており、
前記段ボールは、方形の前記中底板１１の、一方の対向縁の夫々に下向きに折曲される支承片１３を、他方の対向縁の夫々に上向きに折曲される補強片１４を連設した形態を備えることを特徴とする梱包箱用の内箱状パッキン材。
【発明の詳細な説明】
【０００１】
【発明の属する技術分野】
本発明は、１枚の段ボールから、梱包物品を納め得る大きさで、その外周面に緩衝構造を一体的形成させた、蓋無しの箱状に折上がり、梱包箱内にスッポリ嵌め込んで用いる内箱状パッキン材に関する。
【０００２】
【従来の技術】
従来から、例えば、家庭用ファクシミリや、ビデオテープレコーダー等の電気器機類を、段ボール箱を使って梱包する際には、複数個の発泡スチロール製ブロックで梱包物品を緩衝支持していた。
然しながら、発泡スチロールは、有限で貴重な石油を原料として作られ、用済み後に焼却処分すれば有害ガスを発生し、その上、埋め立てにも向かない等を多くの難点がある。
【０００３】
そこで、本願発明者は、かなり以前から、唯１枚の段ボールから、既存の発泡スチロール製パッキンに代わり得る形状と緩衝性能とを備えたパッキンを折上げる方法を先駆的に開発し、その後様々な改良を重ねて来た。
【０００４】
【発明が解決しようとする課題】
然し、１枚の段ボールから、所要の形状と緩衝性能とを併せ備えたパッキン材を折上げ様とすれば、とかく、折上構造が複雑になり勝ちなうえに、折上操作も面倒になる嫌いがあった。
【０００５】
そこで、本発明の目的は、１枚の段ボールから折上げられるタイプのパッキン材に就いて、所要の形状と緩衝性能とを備えながら、その折上構造と折上操作を極力簡素化出来る様にした梱包箱用の内箱状パッキン材を提供するにある。
【０００６】
【課題を解決するための手段】
上記目的を達成するために、請求項１の発明は、１枚の段ボールから、梱包物品を納め得る大きさで、その外周りに緩衝構造を一体に備えた、蓋無しの内箱状に折上げられるものであって、前記段ボールは、方形の底面１の一方の対向辺の夫々に、外向きに拡開する台形の傾斜底面２と、側壁面３とを順次連設し、他方の対向辺の夫々に側壁面４を連設し、隣接する傾斜底面２と側壁面４との両側端間に、台形の袖壁面５を跨設し、隣接する側壁面３と袖壁面５との両側端間には、斜め折目に沿って２つ折りされるＬ形のヒレ片６を跨設し、側壁面４の両側端に連なる１組のヒレ片６，６間に、側壁面４の外側に当接させる為の、Ｖ形乃至はＵ形に屈折される帯板状のスペーサー片９を架設した構成を備えており、かつ、一方の前記側壁面４の上縁に、中底板１１を垂支用壁面１２を介して連設すると共に、対向する１組の前記傾斜底面２，２の各上縁部間に、前記中底板１１を架設し、この上に梱包物品を緩衝支持する様にしたことを特徴とする梱包箱用の内箱状パッキン材である。また、請求項２の発明は、請求項１の上記特徴に加えて、前記側壁面３の上縁側に、この面の外側に向けて、下向きにＬ形に折曲される折曲片７を連設したことを特徴とする梱包箱用の内箱状パッキン材である。請求項３の発明は、請求項２の上記特徴に加えて、折曲片７の頂面７ａに、その両側端にＶ形乃至Ｕ形の切欠ｂ，ｂを設けると共に、両切欠ｂ，ｂ間に座屈用折目８を設けたことを特徴とする内箱状パッキン材である。請求項４の発明は、請求項１の上記特徴に加えて、前記中底板１１の先端縁には下向きに折曲される支承片１３を、両側端縁には上向きに折曲される補強片１４を連設したことを特徴とする請求項１記載の梱包箱用の内箱状パッキン材である。請求項５の発明は、請求項１〜３の上記特徴に加えて、その１組の前記傾斜底面２，２の各上縁部間に架設する為の、１枚の段ボールから折上げられる補助パッキン材を付属させた構成を備えており、前記段ボールは、方形の前記中底板１１の、一方の対向縁の夫々に下向きに折曲される支承片１３を、他方の対向縁の夫々に上向きに折曲される補強片１４を連設した形態を備えることを特徴とする梱包箱用の内箱状パッキン材である。
【０００７】
【発明の実施の形態】
以下に、本発明の一実施例に就いて、図１〜図７を参照しながら説明する。
この実施例の内箱状パッキン材（以後、単にパッキン材と言う）２００Ａは、図１及び図２に平面図及び斜視図として示した１枚の段ボール１００Ａから、図５に示した形態に折上がる。
【０００８】
このパッキン２００Ａは、図６，図７に示した様に、段ボール製の梱包箱３００内にスッポリ嵌め込んだ状態で使用される。
図中の４００は梱包物品、５００は段ボール製の部品収納ケースである。
【０００９】
所定の形状に裁断され、且つ、所定の折目を設けた段ボール１００Ａの具体的な形態に就いて、以下に、図１を参照しながら説明する。
段ボール１００Ａは、その左寄りの真ん中の方形域を、パッキン材２００Ａの底面１としている。
【００１０】
底面１の一方の対向辺（図１では上下辺）の夫々には、外向きに拡開する台形の傾斜底面２、及び側壁面３を、折目Ａ及びＢを介して順次連設している。
底面１の他方の対向辺（図１では左右辺）には、側壁面４を折目Ｃを介して連設している。
【００１１】
更に、互いに隣接する各１組の傾斜底面２と、側壁面３又は４の両側端間には、台形の袖壁面５を、折目Ｄ，Ｅを介して跨設している。
又、互いに隣接する各１組の側壁面３と袖壁面５との両側端間には、Ｌ形のヒレ片６を折目Ｆを介して跨設すると共に、Ｌ形の隅角箇所には、ヒレ片６を図３に示した様に２つ折する為の斜め折目Ｇを設けている。
【００１２】
そして、側壁面３には、図４に示した様に、この面の外側に向けて、下向きにＬ形に折曲される緩衝用の折曲片７を、折目Ｈを介して連設している。
この実施例では、図４に示した様に、折曲片７を折目Ｊに添って下向きにＬ形に折曲した状態で、水平向きになる頂面７ａが、側壁面３のほぼ中間高さ位置で、側壁面３に連なる様にしている。
この配慮によって、折曲片７の緩衝機能がより高まると共に、原反からの、段ボール１００Ａの裁断ロスが少なくなる。
【００１３】
その為には、側壁面３の上縁側から、２条の切込みａ，ａを所定間隔を隔てて設けている。
そして、ほぼＴ字形に形成された折曲片７の脚端側が、両切込みａ，ａの各奥端間を結ぶ折目Ｈを介して側壁面３に連らなる様にしている。
尚、折曲片７の隅角部分は丸味を付けて、梱包箱３００の隅角部に及ぼされた衝撃力が直接伝わらない様に配慮している。
【００１４】
更に、折曲片７の頂面７ａには、図１の下側に示した様に、その両側端にＶ形の切欠ｂ，ｂを設けると共に、その各尖端間を座屈用折目８で結んでいる。
尚、切欠ｂはＶ形に限らず、Ｕ形等でもよい。
【００１５】
そして、対向する１組の側壁面４，４のうちの、一方（図１の左側）の側壁面４の両側端に連なる１組のヒレ片６，６間には、図３に示した様に、側壁面４の外側に当接させる為の、帯板状をした緩衝用のスペーサー片９を折目Ｌを介して架設している。
【００１６】
このスペサー片９は、その両端近くと、真ん中との３箇所に折目Ｍを設けることによって、図３に示した様に、浅いＶ形に下向きに折曲される様にしている。
尚、側壁面４の上縁には、図１中に仮想線で示した様に、スペーサー片９を折り曲げる際の干渉を避ける為に、Ｖ形の切欠１０を設けて置くとよい。
【００１７】
更に、他方（図１の右側）の側壁面４の上縁には、図５〜図７に示した様に、１組の傾斜底面２，２の各上縁部間に架設する為の中底板１１を、その垂支用壁面１２を介在させた状態で、折目Ｎ，Ｏを介して連設している。
【００１８】
中底板１１の先端縁には、下向きに折曲される台形の支承片１３を折目Ｐを介して延設し、中底板１１の両側端縁には、上向きに折曲される補強片１４を折目Ｑを介して連設している。
【００１９】
又、中底板１１を、図５に示した様に、底面１の上方に組付ける操作を容易ならしめる為に、支承片１３の先端縁に突設した差込用突部１３ａを、底面１の１辺に折目Ｃに添わせて設けた差込孔１５に挿嵌させる様にしている（図１参照）。
【００２０】
次に、段ボール１００Ａから、パッキン材２００Ａを折上げる手順に就いて、その一例を、図３〜図７を参照しながら説明する。
【００２１】
先ず、図３に示した様に、計４面の側壁面３，４の夫々を折目に沿って起立させる。
次いで、一方の側壁面４の上縁の両側端部間に跨設したスペーサー片９を、内側向きに水平に折り曲げたうえ、下向きに、浅いＶ形に折曲させる。
これによって、図３から理解される様に、側壁面４の外側のほぼ中央域にスペーサー片９が当接される。
【００２２】
次に、図４に示した様に、中底板１１に連設した支承片１３を下向きに、補強片１４を上向きに夫々折曲させる。
この状態で、中底板１１及び垂支用壁面１２を、折目Ｏ及びＮに沿って夫々内向きに折曲して、図５，図７に示した様に、垂支壁面１２を側壁面４の内側に重合させると共に、中底板１１を、対向する傾斜底面２，２の各上縁部間に架け渡す。
その際に、差込用突部１３ａを、その差込孔１５に挿嵌させれば、上記の折曲操作を行い易いうえに、折曲形態が確実に固定される。
【００２３】
この様にして、簡単・迅速に折上がった、内箱状のパッキン材２００Ａは、図６，図７に示した様に、段ボール製の梱包箱３００の中にキッチリ嵌め込ませたうえ、その箱状の内空部に梱包物品４００を収める。
【００２４】
続いて、図７に示した様に、パッキン材２００Ａの上面と、梱包箱３００の蓋面３００ａとの間に意図的に設けた隙間に、部品収納ケース５００を嵌め込んだうえ、蓋を閉ざせば、パッキン材２００Ａの折上と、梱包物品の梱包作業は極めて簡単・確実に完了する。
【００２５】
尚、パッキン材Ａの別の折上方法として、先ず、展開状態の段ボール１００Ａの、対向する一方の側壁面３，３を起立させると共に、折曲片７，７を、外向に向けて下向きにＬ形に折曲した状態にする（図４参照）。
【００２６】
そして、この状態の段ボール１００Ａを、蓋を開いた梱包箱３００の中に押し込んで行くと、対向する他方の側壁面４，４も自づから起立されるので、パッキン２００Ａの折上と、梱包箱３００内への嵌込操作を、手早く手際良く行うことが出来る。
【００２７】
上述の如くして梱包された梱包物品４００は、１組の傾斜底面２，２の各上縁部間で、極めて良好に緩衝支持される（図７参照）。
その上、傾斜底面２，２の各上縁部間に架設した中底板１１が、上記の緩衝支持機能を更に一段と向上させる役割を果たしてくれる。
【００２８】
即ち、梱包物品４００の底面に当接された中底板１１は、図５〜図７から理解される様に、その４辺のうちの１辺を垂支用壁面１２によって垂支され、１辺を支承片１３によって受支持され、残る２辺に連らなる補強片１４，１４が、中底板１１の撓み変形を防ぐ役割を果たしてくれる。
その為、梱包箱３００に極めて強い落下衝撃力が及ぼされた場合でも、傾斜底面２，２の座屈変形が防がれて、梱包物品は確実に防護される。
【００２９】
そして、梱包物品４００に、その側面方向から及ぼされる衝撃力に関しては、側壁面３方向の衝撃力は、その外側に連らなる、下向きＬ形に折曲された折曲片７によって確実に吸収される。
特に強大な衝撃力に対しては、頂面７ａが、座屈用折目８の箇所で座屈することによって、この衝撃力を十分に減衰させてくれる。
【００３０】
又、側壁面４方向の衝撃力に関しては、図５に示した様に、側壁面４の両側端に連なる袖壁面５，５が斜め外向きに傾斜して、側壁面４を内向きに突出せているので、側壁面４と袖壁面５，５とが共同して、極めて効果的な緩衝機能を発揮してくれる。
【００３１】
その上、図５に示した様に、Ｖ形に折曲させた側壁面４の外側面のほぼ真ん中の広い範囲にわたって当接されたスペーサー片９が、その緩衝作用をより良く発揮してくれる。
【００３２】
更に、梱包箱３００の上方から及ぼされる衝撃力に対しては、梱包物品４００の上に載置した、段ボール製の部品収納ケース５００が、効果的なクッション材として役立ってくれる。
【００３３】
次に、図８〜図１０は、本発明の他の実施例の説明図である。
図１０にその折上がり状態を示した、この実施例のパッキン材２００Ｂは、図８に示した１枚の段ボール１００Ｃから、図９に示した形態に折上げられ、補助パッキン２００Ｃを付属させている。
【００３４】
第２実施例のパッキン材２００Ｂが、第１実施例のパッキン材２００Ａと異なる、第１の相異点は、中底板１１をパッキン材２００Ｂの本体から切り離して、別体としたところにある。
第２の相異点は、対向する１組の側壁面４，４の双方に、スペーサー片９を連設したところにある。
【００３５】
段ボール１００Ｂが、段ボール１００Ａと異なる点は、図８に示した様に、段ボール１００Ａの中底板１１及び垂支用壁面１２を省いて、その代わりに、図の右側の側壁面４にも、左側の側壁面４と同様にして、スペーサー片９を連設したところにある。
【００３６】
そして、段ボール１００Ｃは、図８に示した様に、中底板１１の一方の対向縁の夫々に支承片１３を連設し、他方の対向縁の夫々に補強片１４を連設した形態を備えている。
【００３７】
この実施例のパッキン材２００Ｂの折上手順、及び緩衝機能は、パッキン材２００Ａのそれに準ずるので、説明は省略する。
【００３８】
【発明の効果】
以上の説明によって明らかな様に、本発明による梱包箱用の内箱状パッキン材は、以下に列挙した如き、実用上の優れた効果を奏する。
（ａ）梱包箱内にスッポリ嵌め込める内箱状パッキン材を、１枚の段ボールから極めて簡単・迅速に折上げられる。
（ｂ）梱包物品は、パッキン材の底面の一方の対向辺に連設した、１組の傾斜底面の各上縁部間に跨がらせた状態で、極めて効果的に緩衝支持される。
（ｃ）１組の傾斜底面の各上縁部間に、中底板を架設して置くことによって、上記の緩衝支持性能は、更に大幅に高められる。
（ｄ）Ｌ形に折り曲げられる折曲片を連設した側壁面は、この折曲片によって良好な緩衝機能を付与される。
（ｅ）更に、折曲片の水平向きの頂面に設けた座屈用折目が、緩衝機能を更に格段に向上させる。
（ｆ）その両側端に、斜めに折れ曲がって連なる袖壁面を連設した側壁面は、この傾斜袖壁面の働きによって優れた緩衝性能を付与される。
（ｇ）更に、側壁面の外側に当接させた、Ｖ乃至Ｕ形に折曲させた帯板状のスペーサー片が、より効果的な緩衝機能を発揮する。
（ｈ）パッキン材は、１枚の段ボールに展開した嵩張らない状態で、保管・輸送出来る。
【図面の簡単な説明】
【図１】本発明の一実施例を示すもので、パッキン材を１枚の段ボールに展開した状態の平面図である。
【図２】同上、段ボールの斜視図である。
【図３】同上、段ボールからパッキン材を折上げ始めた状態の斜視図である。
【図４】同上、パッキン材を半ば折上げた状態の斜視図である。
【図５】同上、折上がったパッキン材の斜視図である。
【図６】同上、内箱状のパッキン材を、梱包箱（仮想線で示す）内に嵌め込んだ状態を示す斜視図である。
【図７】同上、梱包物品を、パッキン材と梱包箱を用いて、その付属部品と共に梱包し終えた状態を示す縦断面図である。
【図８】本発明の他の実施例を示すもので、パッキン材の素材となる、２枚の段ボールの夫々の斜視図である。
【図９】同上、２枚の段ボールの夫々を、所要の形状に折上げた状態の斜視図である。
【図１０】同上、組上がったパッキン材の斜視図である。
【符号の説明】
１００Ａ，１００Ｂ，１００Ｃ  段ボール
２００Ａ，２００Ｂ  パッキン材
２００Ｃ  補助パッキン材
３００  梱包箱
４００  梱包物品
５００  部品収納ケース
１  底面
２  傾斜底面
３，４  側壁面
５  袖壁面
６  ヒレ片
７  折曲片
７ａ  頂面
８  座屈用折目
９  スペーサー片
１０  切欠
１１  中底板
１２  垂支用壁面
１３  支承片
１３ａ  差込用突部
１４  補強片
１５  差込孔
ａ  切込み
ｂ  切欠
【図１】
0004763885.tif 000002
【図２】
0004763885.tif 000003
【図３】
0004763885.tif 000004
【図４】
0004763885.tif 000005
【図５】
0004763885.tif 000006
【図６】
0004763885.tif 000007
【図７】
0004763885.tif 000008
【図８】
0004763885.tif 000009
【図９】
0004763885.tif 000010
【図１０】
0004763885.tif 000011